(57)【要約】【課題】作業台上においてタスクライトがパソコンと作業者との間に配置される場合に、パソコン画面に入射するタスクライトからの光を低減してパソコン画面を見易くし、また、作業者の手元を明るく照明する。【解決手段】ＬＥＤタスクライト１は、ＬＥＤ２と、ＬＥＤ２からの光を反射する反射板７と、を備える。反射板７は、その一方側の側面及び他方側の側面がそれぞれＬＥＤ２からの光をある角度をもって遮光し、一方側の遮光角θ１が他方側の遮光角θ２よりも大きい。作業台Ｄ上においてＬＥＤタスクライト１がパソコンＰＣと作業者Ｗとの間に配置される場合に、大きい遮光角θ１側をパソコンＰＣ側とし、小さい遮光角θ２側を作業者Ｗ側とする。これにより、パソコンＰＣの画面に入射するＬＥＤタスクライト１からの光を低減してパソコンＰＣの画面を見易くし、また、作業者Ｗ側により多くの光を照射することで作業者Ｗの手元を明るく照明できる。【選択図】図４
2013101782.tif 000002
【特許請求の範囲】
【請求項１】
ＬＥＤと、このＬＥＤを収容して下面側に開口を有する筐体と、この筐体の内部に設けられＬＥＤからの光を反射する反射板と、筐体の開口に取り付けられる透光性カバーと、を備えたＬＥＤタスクライトであって、
前記ＬＥＤを通る垂直断面において、前記反射板の一方側の側面及び他方側の側面がそれぞれ前記ＬＥＤから下方に照射される光をある角度をもって遮光するように前記反射板を配置し、一方側の遮光角θ１が他方側の遮光角θ２よりも大きくなるように構成されていることを特徴とするＬＥＤタスクライト。
【請求項２】
前記遮光角θ１は６０°以上に設定されていることを特徴とする請求項１に記載のＬＥＤタスクライト。
【請求項３】
前記遮光角θ１は６７°以上に設定され、前記遮光角θ２は３０°以上６０°以下に設定されていることを特徴とする請求項１に記載のＬＥＤタスクライト。
【請求項４】
前記ＬＥＤ又は反射板の少なくともいずれか一方を移動させることで、前記遮光角θ１、θ２は調整可能となっていることを特徴とする請求項１乃至請求項３のいずれか一項に記載のＬＥＤタスクライト。
【発明の詳細な説明】
【技術分野】
【０００１】
本発明は、作業台上を照明するＬＥＤタスクライトに関する。
【背景技術】
【０００２】
従来から、光源に対する設置位置及び設置角度が互いに異なる３つの反射板を有し、これら反射板を用いて光源からの光を幅広い方向に反射して作業者の手元を明るく照明するタスクライトが知られている（例えば、特許文献１参照）。
【０００３】
また、別のタスクライトは、光源からの光が出射される面に光透過率の異なる２種類の拡散板を有し、作業者に近い側に光透過率の高い拡散板が配置され、作業者から遠い側に光透過率の低い拡散板が配置される（例えば、特許文献２参照）。そのため、作業者に近い側が明るくなり、作業者から遠い側が暗くなる。
【先行技術文献】
【特許文献】
【０００４】
【特許文献１】特開２００６−１２０５８１号公報
【特許文献２】特開２００９−４８９５５号公報
【発明の概要】
【発明が解決しようとする課題】
【０００５】
しかしながら、上述したようなタスクライトでは、作業台上においてタスクライトがパソコンと作業者との間に配置される場合に、タスクライトから発せられた光の一部がパソコン画面に入射して光幕となり、パソコン画面が見難くなる虞がある。
【０００６】
本発明は、上記課題を解決するものであって、作業台上でタスクライトがパソコンと作業者との間に配置される場合に、作業者の手元を明るく照明しつつ、パソコン画面に入射するタスクライトからの光を低減できるＬＥＤタスクライトを提供することを目的とする。
【課題を解決するための手段】
【０００７】
本発明のＬＥＤタスクライトは、ＬＥＤと、このＬＥＤを収容して下面側に開口を有する筐体と、この筐体の内部に設けられＬＥＤからの光を反射する反射板と、筐体の開口に取り付けられる透光性カバーと、を備え、前記ＬＥＤを通る垂直断面において、前記反射板の一方側の側面及び他方側の側面がそれぞれ前記ＬＥＤから下方に照射される光をある角度をもって遮光するように前記反射板を配置し、一方側の遮光角θ１が他方側の遮光角θ２よりも大きくなるように構成されていることを特徴とする。
【０００８】
前記遮光角θ１は６０°以上に設定されていることが好ましい。
【０００９】
前記遮光角θ１は６７°以上に設定され、前記遮光角θ２は３０°以上６０°以下に設定されていることがより好ましい。
【００１０】
前記ＬＥＤ又は反射板の少なくともいずれか一方を移動させることで、前記遮光角θ１、θ２は調整可能となっていることが好ましい。
【発明の効果】
【００１１】
本発明によれば、作業台上においてＬＥＤタスクライトをパソコンと作業者との間に配置する場合に、反射板の大きい遮光角θ１を有する側をパソコン側とし、小さい遮光角θ２を有する側を作業者側とする。これにより、パソコン画面に入射するＬＥＤタスクライトからの光を低減してパソコン画面を見易くし、また、作業者側により多くの光を照射することで作業者の手元を明るく照明することができる。
【図面の簡単な説明】
【００１２】
【図１】本発明の実施形態に係るＬＥＤタスクライトが作業台上で使用されている状態を示す上面図。
【図２】上記ＬＥＤタスクライトの斜視図。
【図３】図２のＩ−Ｉ線断面図。
【図４】上記ＬＥＤタスクライトが作業台上で使用されている状態を示す側断面図。
【図５】図４の状態から上記ＬＥＤタスクライトを下方に移動した状態を示す側断面図。
【図６】上記実施形態の変形例に係るＬＥＤタスクライトを構成する灯具の断面図。
【図７】上記変形例に係るＬＥＤタスクライトが作業台上で使用されている状態を示す上面図。
【発明を実施するための形態】
【００１３】
本発明の実施形態に係るＬＥＤタスクライトについて、図１乃至図５を参照して説明する。図１乃至図３に示すように、ＬＥＤタスクライト１は、複数のＬＥＤ２を光源とする電気スタンドであり、使用状態時に作業台Ｄ上でパソコンＰＣと作業者Ｗとの間に配置される。作業台Ｄの作業者Ｗが位置する側を手前側とし、その反対側を奥側とする。図１では、ＬＥＤタスクライト１は、作業台Ｄ上において作業者Ｗの右側から立設されている。
【００１４】
ＬＥＤタスクライト１は、ＬＥＤ２が設けられた灯具３と、灯具３を移動自在に支持するアーム４と、アーム４が固定される基部５と、を備える。基部５は、ＬＥＤ２の点灯／消灯及び照射光強度を制御するためのスイッチ５ａを有する。スイッチ５ａは、基部５の内部に設けられた回路基板５ｂと電気的に接続されている。回路基板５ｂは、配電線により各々のＬＥＤ２と電気的に接続されており、家庭用電源から各ＬＥＤ２への電力供給を調節する。
【００１５】
灯具３は、複数のＬＥＤ２と、これらＬＥＤ２に給電するための配線基板２ａと、ＬＥＤ２及び配線基板２ａを収容して下面側に矩形の開口を有する筐体６と、を有する。筐体６は、その外観が長い箱形形状とされ、その長手方向が前記手前側から奥側に向かう方向と直交するように配置される。複数のＬＥＤ２は、筐体６の長手方向に沿って列状、かつ均等に並べて配置されている。筐体６の内部にはＬＥＤ２からの光を反射する反射板７が設けられ、筐体６の開口には透光性カバー８が取り付けられる。反射板７の一方側（奥側）の側面及び他方側（手前側）の側面は、それぞれＬＥＤ２から下方に照射される光をある角度をもって遮光する。遮光角θ１は、ＬＥＤ２を通って手前側から奥側に向かう方向を含む垂直断面において、ＬＥＤ２から水平方向に伸びる線Ｌ１とＬＥＤ２及び反射板７の奥側の下端部Ｐを結ぶ線Ｌ２とが成す角度（鋭角）である。遮光角θ２は、ＬＥＤ２及び反射板７の手前側の下端部Ｑを結ぶ線Ｌ３と線Ｌ１とが成す角度（鋭角）である。遮光角θ１は、遮光角θ２よりも大きくなるように構成されている。
【００１６】
ＬＥＤ２は、白色光を発する白色ＬＥＤより構成される。白色ＬＥＤは、例えば、青色ＬＥＤと、この青色ＬＥＤからの青色光により励起されて黄色光を発する黄色蛍光体と、より成り、青色光と黄色光とを混色させることで擬似白色光を発する。
【００１７】
配線基板２ａは、高い熱伝導率を有する材料より構成され、例えば、エポキシ樹脂を使用したプリント配線基板より構成される。配線基板２ａは、ＬＥＤ２への給電を担う配線パターンを有する。この配線パターンは、配電線を介して回路基板５ｂに接続されている。
【００１８】
筐体６は、高い熱伝導率と所定の剛性を有する材料、例えば、アルミニウム等の金属より構成される。反射板７は、金属や樹脂を母材として、その表面に白塗装又は鏡面処理を施して高可視光反射性としたものより構成される。鏡面処理は、例えば、アルミニウム蒸着や銀蒸着により成される。透光性カバー８は、透明パネルより構成される。透光性カバー８には、ＬＥＤ２の輝度低減や粒々感解消のために必要最小限の拡散処理が施されてもよい。
【００１９】
次に、上記のように構成されたＬＥＤタスクライト１の使用状態について図４を参照して説明する。図４は、ＬＥＤ２を通って手前側から奥側に向かう方向を含む垂直断面を示す。ＬＥＤ２から作業台Ｄ上面までの垂直距離は、一般的には４０〜６０ｃｍの範囲で調整され、図例では６０ｃｍに設定されている。ここで、作業者Ｗの目線高さＨは、椅子Ｃの座面高さを４０ｃｍとし、日本人の座位における目線高さが２０〜５０歳代の男女平均で７６ｃｍであることを考慮すると、床上１１６ｃｍとなる。従って、作業台Ｄの高さを７０ｃｍとすると、作業者Ｗの目線高さＨから作業台Ｄ上面までの垂直距離は４６ｃｍとなり、ＬＥＤ２は目線高さＨよりも更に１４ｃｍ高い所に位置することになる。また、パソコンＰＣは作業台Ｄ上において作業者Ｗから水平距離で５０ｃｍ離れた位置に配置され、ＬＥＤタスクライト１はパソコンＰＣと作業者Ｗとの中間位置に配置される。これにより、ＬＥＤタスクライト１（ＬＥＤ２）からパソコンＰＣまでの水平距離及びＬＥＤタスクライト１（ＬＥＤ２）から作業者Ｗまでの水平距離は、それぞれ２５ｃｍとなる。
【００２０】
遮光角θ１は、ＬＥＤ２から作業台Ｄ上面までの垂直距離６０ｃｍとＬＥＤ２からパソコンＰＣまでの水平距離２５ｃｍとを基にarctan（６０／２５）から算出される略６７°よりも大きくなるように構成されている。これにより、ＬＥＤ２から奥側に出射された光は、反射板７の奥側の側面により遮光されて、パソコンＰＣの画面に入射しない。一方、遮光角θ２は、ＬＥＤ２から目線高さＨまでの垂直距離１４ｃｍとＬＥＤ２から作業者Ｗまでの水平距離２５ｃｍを基にarctan（１４／２５）から算出される略３０°よりも大きくなるように構成されている。これにより、ＬＥＤ２から手前側に出射された光は、反射板７の手前側の側面により遮光されて、作業者Ｗの目に直接に入射しない。
【００２１】
図５は、図４の状態からＬＥＤ２を１４ｃｍ下げて目線高さＨに配置した状態を示す。この状態では、遮光角θ１が略６０°（arctan（４６／２５）より算出）よりも大きく設定されていれば、ＬＥＤ２から出射された光はパソコンＰＣの画面に入射しない。また、遮光角θ２は、ＬＥＤ２及び作業台Ｄ上面の手前側の端部Ｒを結ぶ線Ｌ４と線Ｌ１とが成す角度である略６０°（arctan（４６／２５）より算出）よりも小さくなるように設定されている。これにより、ＬＥＤ２から手前側に出射された光は、作業台Ｄの端部Ｒ、すなわち作業者Ｗの手元まで届く。
【００２２】
上述のように、本実施形態のＬＥＤタスクライト１によれば、奥側の遮光角θ１が手前側の遮光角θ２よりも大きく構成されているので、パソコンＰＣの画面に入射するＬＥＤ２からの光を低減しつつ、作業台Ｄ上の作業者Ｗ側に十分な光を照射することができる。これにより、パソコンＰＣの画面上におけるＬＥＤ２からの光による光幕形成が防止されてパソコンＰＣの画面が見易くなると共に、作業者Ｗの手元を明るく照明することができる。
【００２３】
また、遮光角θ１を６７°以上に設定することで、パソコンＰＣの画面に入射するＬＥＤ２からの光をより低減することができる。なお、ＬＥＤ２を作業者Ｗの目線高さＨに配置した場合には、遮光角θ１を６０°以上に設定すれば同効果を得ることができる。
【００２４】
また、遮光角θ２を略３０°よりも大きく、かつ略６０°よりも小さく設定することで、ＬＥＤ２からの光が直接に作業者Ｗの目に入射するのを防ぎつつ、作業者Ｗの手元まで光を照射することができる。これにより、高輝度かつ点状光源であるため直接に目に入射すると非常にまぶしいＬＥＤ２からの光によるグレアを防止することができる。かくして、ＬＥＤ２からの光がパソコンＰＣの画面にも作業者Ｗの目にも直接に入射しないようにすることができ、従って、従来器具のように、灯具の角度を変えてパソコン画面への光源からの光の映り込みやグレアを防止する必要がない。
【００２５】
また、配線基板２ａ及び筐体６が高い熱伝導率を有する材料より構成されているので、ＬＥＤ２の発光に伴って生じる熱を効率良く外界へ放熱することができる。これにより、ＬＥＤ２の異常な温度上昇を防いで、ＬＥＤ２の寿命を長くすることができる。更に、光源として蛍光灯や電球等に比べて小さいＬＥＤを用いているので、灯具３を薄型化及び小型化してスタイリッシュなデザインにすることができ、ＬＥＤタスクライト１の意匠性を良くすることができる。
【００２６】
次に、本実施形態の変形例に係るＬＥＤタスクライトについて図６及び図７を参照して説明する。図６に示すように、本変形例のＬＥＤタスクライトを構成する灯具３は、その上面に筐体６及び反射板７を貫通して手前側から奥側にかけて伸びるスライドガイド（スリット）６ａと、このスライドガイド６ａに沿って移動するスライドスイッチ９と、を有する。スライドスイッチ９の灯具３内部側の端部には、配線基板２ａを保持するための保持金具９ａが取り付けられている。保持金具９ａが配線基板２ａを保持することで、スライドスイッチ９とＬＥＤ２とが一体に移動するようになる。
【００２７】
本変形例のＬＥＤタスクライトによれば、スライドスイッチ９をスライドガイド６ａに沿って移動させることで、反射板７に対するＬＥＤ２の位置を変更することができる。これにより、遮光角θ１、θ２を調整することが可能となり、ＬＥＤ２からの光の配向を微調整することができる。また、図７に示すように、ＬＥＤタスクライト１を作業者Ｗから見て左側から立設させる場合に、ＬＥＤ２と反射板７との相対的な位置を反転させて適正な遮光角θ１、θ２を得ることができる。これにより、１台のＬＥＤタスクライト１で右置き及び左置きの両方に対応することができる。
【００２８】
なお、本発明に係るＬＥＤタスクライトは、上記実施形態及びその変形例に限定されず、種々の変形が可能である。例えば、上記実施形態においては、筐体内に反射板を別個に設けた例を示したが、筐体の内壁面が反射板の機能を持つような構成とすれば、筐体が反射板を兼ねることも可能である。また、本変形例においては、固定された反射板に対してＬＥＤが移動可能となっているが、固定されたＬＥＤに対して反射板が移動可能となっていてもよい。また、ＬＥＤの数及び配置は任意であり、列状配置に限定されず、面状に配置されてもよい。更に、ＬＥＤは、白色ＬＥＤ以外のＬＥＤより構成されていてもよく、例えば、赤色（Ｒ）ＬＥＤ、緑色（Ｇ）ＬＥＤ及び青色（Ｂ）ＬＥＤを組み合わせたものより構成されていてもよい。
【符号の説明】
【００２９】
１  ＬＥＤタスクライト
２  ＬＥＤ
６  筐体
７  反射板
８  透光性カバー
θ１  奥側（一方側）の遮光角
θ２  手前側（他方側）の遮光角
【図１】
2013101782.tif 000003
【図２】
2013101782.tif 000004
【図３】
2013101782.tif 000005
【図４】
2013101782.tif 000006
【図５】
2013101782.tif 000007
【図６】
2013101782.tif 000008
【図７】
2013101782.tif 000009